(57)【要約】【課題】発光装置を光学ベースに取り付ける際及び取付けの後にレーザビームの向きを容易に調整できる光ピックアップを提供すること。【解決手段】レーザダイオード１１をその光軸に交差した軸心に関して回動可能であるように取付け装置６０により光学ベース５０に取り付ける。取付け装置は、好ましくは、光学ベースに固定された固定部材６１と、レーザダイオードを保持しかつ固定部材に前記軸心に関して傾動可能に支持された可動部材６２と、可動部材の傾動を摩擦により阻止するバネ片７３を有する。【選択図】        図４
2004342232.tif 000002
【特許請求の範囲】
【請求項１】
光軸を有し該光軸に沿ってレーザビームを出射する発光装置と、光学ベースと、前記発光装置を前記光軸に交差した軸心に関して回動可能であるように前記光学ベースに取り付けた取付け装置とを含むことを特徴とする光ピックアップ。
【請求項２】
前記取付け装置は、前記光学ベースに固定された固定部材と、前記発光装置を保持しかつ前記固定部材に前記軸心に関して傾動可能に支持された可動部材とを有する、請求項１に記載の光ピックアップ。
【請求項３】
前記可動部材は、前記軸心上にあり前記固定部材に軸受けされた軸部を有し、前記取付け装置は、さらに、前記軸部の回動を摩擦により阻止する回動阻止部材を有する、請求項２に記載の光ピックアップ。
【請求項４】
前記回動阻止部材は、前記固定部材に着脱可能に係合する係合部と、前記係合部に接続され前記軸部に圧接されるバネ部とを有する、請求項３に記載の光ピックアップ。
【請求項５】
前記取付け装置は、さらに、前記可動部材の傾きを調整する傾き調整機構を有する、請求項２に記載の光ピックアップ。
【請求項６】
前記傾き調整機構は、前記可動部材の前記軸心から位置ズレした部分に係合しかつ前記固定部材に螺着されたネジ部品を有する、請求項５に記載の光ピックアップ。
【請求項７】
前記傾き調整機構は、さらに、前記可動部材を前記固定部材から離間させる向きに付勢したバネ部品を有する、請求項６に記載の光ピックアップ。
【請求項８】
前記軸心は前記光学ベースの側面にあり、前記軸心と前記光学ベースとが互いに平行にのびている、請求項１から７のいずれかに記載の光ピックアップ。
【請求項９】
前記軸心は前記光学ベースの側面にあり、前記軸心と前記光学ベースとが互いに交差してのびている、請求項１から７のいずれかに記載の光ピックアップ。
【発明の詳細な説明】
【０００１】
【発明の属する技術分野】
本発明は、光ディスクドライブに用いられ、光ディスクにレーザビームを照射してデータを記録・再生する光ピックアップに関し、特に、レーザビームを出射する発光装置の取付け構造に関する。
【０００２】
【従来の技術】
最近のパーソナルコンピュータ等の電子機器には光ディスクドライブが搭載されることが多い。光ディスクドライブに使用可能な光学的記録媒体としてＣＤ（ＣＤ−Ｒ、ＣＤ−ＲＷ、ＣＤ−ＲＯＭ、及びオーディオＣＤ等を含む）及びＤＶＤ（ＤＶＤ−ＲＯＭ、ＤＶＤ±Ｒ，ＤＶＤ±ＲＷ、ＤＶＤ−ＲＡＭ等を含む）が知られている。ＣＤ及びＤＶＤをここでは纏めて光ディスクと呼ぶ。
【０００３】
このような光ディスクにデータを記録したり再生したりするために、光ディスクドライブは光ピックアップを備えている。その光ピックアップは、光ディスクの径方向に移動可能な光学ベースと、この光学ベースに保持された発光装置、受光装置、及び光学系とを備えている。発光装置はレーザビームを出射するためのものである。受光装置は光ディスクから反射されたレーザビームを受光するためのものである。光学系は、光学ベース上でレーザビームをガイドするためのものである。発光装置から出射されたレーザビームは光学系でガイドされて光ディスクに導かれ、また、光ディスクから反射されたレーザビームは光学系でガイドされて受光装置に導かれる（例えば特許文献１参照）。
【０００４】
【特許文献１】
特開２００２−９２９２９号公報
【０００５】
【発明が解決しようとする課題】
上述した光ピックアップにおいて、発光装置から出射されたレーザビームの向きは極めて重要である。仮にレーザビームの向きにズレがあると、そのズレが光学系で増幅され、データの記録・再生に不具合を起こすことが懸念される。したがって、発光装置を光学ベースに取り付ける際及び取付けの後にレーザビームの向きを調整できることが望ましい。
【０００６】
それ故に本発明の課題は、発光装置を光学ベースに取り付ける際及び取付けの後にレーザビームの向きを容易に調整できる光ピックアップを提供することにある。
【０００７】
【課題を解決するための手段】
本発明の実施の一態様によれば、光軸（１１）を有し該光軸に沿ってレーザビームを出射する発光装置（１１）と、光学ベース（５０）と、前記発光装置を前記光軸に交差した軸心に関して回動可能であるように前記光学ベースに取り付けた取付け装置（６０，８０）とを含むことを特徴とする光ピックアップが得られる。
【０００８】
前記取付け装置は、前記光学ベースに固定された固定部材（６１，８１）と、前記発光装置を保持しかつ前記固定部材に前記軸心に関して傾動可能に支持された可動部材（６２，８２）とを有してもよい。
【０００９】
前記可動部材は、前記軸心上にあり前記固定部材に軸受けされた軸部（６９）を有し、前記取付け装置は、さらに、前記軸部の回動を摩擦により阻止する回動阻止部材（７１）を有してもよい。
【００１０】
前記回動阻止部材は、前記固定部材に着脱可能に係合する係合部（７２）と、前記係合部に接続され前記軸部に圧接されるバネ部（７３）とを有してもよい。
【００１１】
前記取付け装置は、さらに、前記可動部材の傾きを調整する傾き調整機構（９０）を有してもよい。
【００１２】
前記傾き調整機構は、前記可動部材の前記軸心から位置ズレした部分（８９）に係合しかつ前記固定部材に螺着されたネジ部品（９２）を有してもよい。
【００１３】
前記傾き調整機構は、さらに、前記可動部材を前記固定部材から離間させる向きに付勢したバネ部品（９１）を有してもよい。
【００１４】
前記軸心は前記光学ベースの側面にあり、前記軸心と前記光学ベースとが互いに平行にのびていてもよい。
【００１５】
前記軸心は前記光学ベースの側面にあり、前記軸心と前記光学ベースとが互いに交差してのびていてもよい。
【００１６】
尚、上記括弧内の参照符号は、理解を容易にするために付したものであり、一例にすぎず、これらに限定されないのは勿論である。
【００１７】
【発明の実施の形態】
図１を参照して、本発明の実施の形態に係る光ピックアップについて説明する。
【００１８】
周知のように、光ディスクドライブの一種であるＤＶＤドライブにおいては、ＤＶＤとＣＤとのいずれに対しても記録・再生可能にするために特別の光ピックアップが搭載されたものが存在している。そのような特別の光ピックアップは、ＤＶＤ用の短波長レーザビーム（波長約６５０ｎｍ）とＣＤ用の長波長レーザビーム（波長約７８０ｎｍ）との２種類のレーザビームを使い分けて記録・再生を行なうものであり、２波長対応光ピックアップと呼ばれている。
【００１９】
図１の光ピックアップは２波長対応光ピックアップと呼ばれるものであり、第１の波長を持つ第１のレーザビームを出射する発光装置としてのＤＶＤ（Ｄｉｇｉｔａｌ  Ｖｅｒｓａｔｉｌｅ  Ｄｉｓｃ）用の第１のレーザダイオード１１と、第１の波長とは異なる第２の波長を持つ第２のレーザビームを出射する発光装置としてのＣＤ（コンパクトディスク）用の第２のレーザダイオード１２と、第１および第２の回折格子（グレーティング）１６および１７と、カップリングレンズ１９と、第１および第２の波長選択偏光ビームスプリッタ２１および２２と、広帯域１／４波長板２４と、全反射ミラー２６と、コリメータレンズ２８と、対物レンズ３０と、検出レンズ３２と、受光素子（光検出器）３４とを備えている。これらの部品は全て、共通の光学ベースに取り付けられる。
【００２０】
第１の回折格子１６、第１の波長選択偏光ビームスプリッタ２１、広帯域１／４波長板２４、全反射ミラー２６、コリメータレンズ２８、対物レンズ３０、第２の波長選択偏光ビームスプリッタ２２、および検出レンズ３２の組み合わせは、第１のレーザダイオード１１から出射された第１のレーザビームを光ディスク４０側へ導くとともに、この光ディスク４０側から反射された第１の戻り光を透過して光検出器３４へ導く第１の光学系として働く。同様に、カップリングレンズ１９、第２の回折格子１７、第２の波長選択偏光ビームスプリッタ２２、第１の波長選択偏光ビームスプリッタ２１、広帯域１／４波長板２４、全反射ミラー（立上げミラー）２６、コリメータレンズ２８、対物レンズ３０、および検出レンズ３２の組み合わせは、第２のレーザダイオード１２から出射された第２のレーザビームを光ディスク４０Ａ側へ導くとともに、この光ディスク４０Ａ側から反射された第２の戻り光を透過して光検出器３４へ導く第２の光学系として働く。
【００２１】
次に、各光学要素の作用（働き）について説明する。
【００２２】
第１のレーザダイオード１１は、第１の波長としてＤＶＤ用の波長約６５０ｎｍを持つ第１のレーザビームを出射するレーザダイオードである。第１の回折格子１６は、第１のレーザダイオード１１から出射された１本の第１のレーザビームを３本のレーザビーム（中央の光束とその両側の２本の光束）に分離するためのものである。
【００２３】
第２のレーザダイオード１２は、第２の波長としてＣＤ用の波長約７８０ｎｍを持つ第２のレーザビームを出射するレーザダイオードである。第２の回折格子１７は、第２のレーザダイオード１２から出射された１本の第２のレーザビームを３本のレーザビーム（中央の光束とその両側の２本の光束）に分離するためのものである。カップリングレンズ１９は、焦点距離を調節するためのものである。
【００２４】
第１の波長選択偏光ビームスプリッタ２１は、第１の回折格子１６を介して入射した３本の第１のレーザビームを反射すると共に、光ディスク４０からの反射光を透過するためのものである。同様に、第２の波長選択偏光ビームスプリッタ２２は、第２の回折格子１７を介して入射した３本の第２のレーザビームを反射透過すると共に、光ディスク４０又は４０Ａからの反射光を透過するためのものである。尚、第１の波長選択偏光ビームスプリッタ２１は、第２の波長選択偏光ビームスプリッタ２２から反射されたレーザビームを透過して、コリメータレンズ２８側へ出射する機能をも果たす。
【００２５】
とにかく、第１および第２の波長選択偏光ビームスプリッタ２１および２２の組み合わせは、第１のレーザダイオード１１から出射された第１のレーザビーム又は第２のレーザダイオード１２から出射された第２のレーザビームを同一の光軸上へ反射する光軸一致手段として働く。
【００２６】
広帯域１／４波長板２４は、直線偏光と円偏光との間で偏光方向を変える手段として働く。全反射ミラー２６は、広帯域１／４波長板２４からのレーザビームを直角に折り曲げて反射するためのものである。コリメータレンズ２８は、全反射ミラー２６で反射されたレーザビームを平行光に変換するためのものである。対物レンズ３０はコリメータレンズ２８からの平行光を光ディスク４０又は４０Ａ上へ照射するためのものである。
【００２７】
尚、光ディスク４０又は４０Ａで反射された反射光（戻り光）は、後述するように、検出レンズ３２を介して光検出器３４で受光される。
【００２８】
ここで、第１の波長選択偏光ビームスプリッタ２１は、波長約６５０ｎｍの光に対してはＳ偏光を反射し、Ｐ偏光を透過する特性を持つが、波長約７８０ｎｍの光に対しては偏光方向に関係なく透過率１００％相当の特性を持っている。一方、第２の波長選択偏光ビームスプリッタ２２は、波長約６５０ｎｍの光に対しては偏光方向に関係なく透過率１００％相当の透過率の特性を持っているが、波長約７８０ｎｍの光に対してはＳ偏光を反射し、Ｐ偏光を透過する特性を持っている。
【００２９】
次に、図１に示した２波長対応光ピックアップの動作について説明する。
【００３０】
最初に、光ディスクとしてＤＶＤ４０を使用した場合について説明する。光ディスクがＤＶＤ４０である場合、第１のレーザダイオード（ＤＶＤ−ＬＤ）１１のみが動作状態に置かれ、第２のレーザダイオード（ＣＤ−ＬＤ）１２は非動作状態に置かれる。したがって、第１のレーザダイオード１１のみが第１のレーザビームを出射している。また、この技術分野で周知のように、２波長対応光ピックアップは、書込みモードと再生モードとのいずれか一方のモードで動作する。
【００３１】
第１のレーザダイオード１１から出射された直線偏光（Ｓ偏光）の第１のレーザビームは、第１の回折格子１６を通り、ここでトラッキング制御及びフォーカス制御を行うために３本のレーザビームに分離される。その後、第１の波長選択偏光ビームスプリッタ２１に入射する。この第１の波長選択偏光ビームスプリッタ２１に入射したＳ偏光の第１のレーザビームは、その光路が９０°曲げられる（すなわち、反射される）。この第１の波長選択偏光ビームスプリッタ２１で反射されたＳ偏光の第１のレーザビームは、広帯域１／４波長板２４を透過し、ここで、直線偏光（Ｓ偏光）から円偏光に変換される。この円偏光の第１のレーザビームは、全反射ミラー２６で上部方向に反射される。この全反射ミラー２６を反射したレーザビームは、コリメータレンズ２８を透過すると、発散光であったレーザビームが平行光にされて、対物レンズ３０に入射する。この対物レンズ３０を透過したレーザビームは、ここで収束されて、光ディスク（ＤＶＤ）４０の記録面に照射される（集光される）。
【００３２】
この光ディスク（ＤＶＤ）４０の記録面からの反射光（第１の戻り光）は、対物レンズＯＬを通過し、コリメータレンズ２８を透過した後、収束光になる。この収束光は、全反射ミラー２６で反射された後、再度、広帯域１／４波長板２４を通ることで、円偏光が直線偏光（Ｐ偏光）に変換される。このＰ偏光は、第１の波長選択偏光ビームスプリッタ２１を透過する。この第１の波長選択偏光ビームスプリッタ２１を透過したＰ偏光は、第２の波長選択偏光ビームスプリッタ２２および検出レンズ３２を透過した後、光検出器３４に集光する（で受光される）。
【００３３】
次に、光ディスクとしてＣＤ４０Ａを使用した場合について説明する。光ディスクがＣＤ４０Ａである場合、第２のレーザダイオード１２のみが動作状態に置かれ、第１のレーザダイオード１１は非動作状態に置かれる。したがって、第２のレーザダイオード１２のみが第２のレーザビームを出射している。
【００３４】
ＣＤ用の第２のレーザダイオード１２から出射された直線偏光（Ｓ偏光）の第２のレーザビームは、カップリングレンズ１９を透過し、第２の回折格子１７でトラッキング制御及びフォーカス制御を行うために３本のレーザビームに分離された後、第２の波長選択偏光ビームスプリッタ２２に入射する。この第２の波長選択偏光ビームスプリッタ２２に入射したＳ偏光の第２のレーザビームは、その光路が９０°曲げられる（すなわち、反射される）。第２の波長選択偏光ビームスプリッタ２２で反射された第２のレーザビームは、第１の波長選択偏光ビームスプリッタ２１を透過し、広帯域１／４波長板２４を透過し、ここで、直線偏光（Ｓ偏光）から円偏光に変換される。この円偏光の第２のレーザビームは、全反射ミラー２６で上部方向に反射される。この全反射ミラー２６を反射したレーザビームは、コリメータレンズ２８を透過すると、発散光であったレーザビームが平行光にされて、対物レンズ３０に入射する。この対物レンズ３０を透過したレーザビームは、ここで収束されて、光ディスク（ＣＤ）４０Ａの記録面に照射される（集光される）。
【００３５】
この光ディスク（ＣＤ）４０Ａの記録面からの反射光（第２の戻り光）は、鉛直下方向へ進み、対物レンズ３０を通過し、コリメータレンズ２８を透過した後、収束光になる。この収束光は、全反射ミラー２６で反射され、再度、広帯域１／４波長板２４を通ることで、円偏光が直線偏光（Ｐ偏光）に変換される。このＰ偏光は、第１および第２の波長選択偏光ビームスプリッタ２１および２２を透過する。この第２の波長選択偏光ビームスプリッタ２２を透過したレーザビームは、検出レンズ３２を透過した後、光検出器３４に集光する（で受光される）。なお、全反射ミラー２６と光検出器３４とを結ぶ光軸又は光路をここでは主光路３６と呼ぶ。
【００３６】
ＤＶＤ４０およびＣＤ４０Ａに対して再生のみならず記録を行う場合には、対物レンズ３０のスポットサイズの最適化は勿論のこと、記録に必要な対物レンズ３０の光量を確保する必要があり、光学系も独立して最適化させる必要がある。
【００３７】
図２及び図３を参照して、光学ベースについて説明する。
【００３８】
光学ベースは全体を参照符号５０で示され、光ディスクドライブの固定ガイド棒（図示せず）にスライド可能に嵌合するガイド孔４９を有している。こうして光学ベース５０は光ディスクの径方向で移動可能にされる。図１に示した第１及び第２のレーザダイオード１１，１２、第１および第２の回折格子１６，１７、カップリングレンズ１９、第１および第２の波長選択偏光ビームスプリッタ２１，２２、広帯域１／４波長板２４、全反射ミラー２６、コリメータレンズ２８、対物レンズ３０、検出レンズ３２、および受光素子３４は全て光学ベース５０に搭載される。
【００３９】
さらに、光学ベース５０に、第１のダイオード用穴５１と第２のダイオード用穴５２とが形成されている。第１のダイオード用穴５１には、図１に示した第１のレーザダイオード１１が第１の光軸１１ａをもつように対向される。第２のダイオード用穴５２には、図１に示した第２のレーザダイオード１２が第２の光軸１２ａをもつように対向される。
【００４０】
図４−図７を参照して、光学ベース５０に対する第１のレーザダイオード１１の取り付けについて説明する。
【００４１】
第１のレーザダイオード１１を光学ベース５０に取り付けるにはＬＤ取付け装置６０を使用する。ＬＤ取付け装置６０は、光学ベース５０の側面において第１のダイオード用穴５１の周囲により固定された固定部材６１と、第１のレーザダイオード１１を保持しかつ固定部材６１に支持された可動部材６２とを含んでいる。固定部材６１は第１のダイオード用穴５１に対応した貫通孔６３を有している。固定部材６１には、貫通孔６３の一側に軸受け穴６４が、また他側に軸受け面６５が、それぞれ形成されている。軸受け穴６４は光学ベース５０と平行にのびた軸心上に位置し、軸受け面６５はその軸心の周りに位置している。
【００４２】
可動部材６２は、貫通孔６３に対向しかつ第１のレーザダイオード１１を配置する空所６６を規定するリング部６７と、リング部６７の外周面の対向位置に一体に結合された対の軸部６８，６９とを有している。一方の軸部６８は、固定部材６１の軸受け穴６４に挿入されて軸受けされる。他方の軸部６９は、固定部材６１の軸受け面６５に当接され、かつバネ部品７１により押さえられる。
【００４３】
バネ部品７１は、固定部材６１に着脱可能に係合する係合部７２と、係合部７２に一体に形成されたバネ部７３とを有している。バネ部７３は他方の軸部６９を軸受け面６５に向けて付勢し、これにより軸部６９を軸受け面６５に圧接させている。
【００４４】
上述したＬＤ取付け装置６０において、第１のレーザダイオード１１はリング部６７の空所６６に挿入固定される。第１のレーザダイオード１１を空所６６に挿入する際、キー７４とキー溝７５とのスライド嵌合により、第１のレーザダイオード１１の光軸周りの回動角が決められる。可動部材６２は軸部６８，６９を支点として上述の軸心に関して傾動可能であるので、可動部材６２の傾きを変更することによって図３に示す第１のレーザダイオード１１の光軸１１ａの向きを容易に調整可能である。可動部材６２の傾きを変更した後には、バネ部７３が軸部６９の回動を摩擦により阻止することで、第１のレーザダイオード１１の光軸１１ａの向きが固定される。このように、バネ部品７１は回動阻止部材として働く。
【００４５】
上述した例では可動部材６２の傾動の軸心は光学ベース５０と平行にのびているが、光学ベース５０と交差する方向にのびた形態で実施されてもよい。
【００４６】
図１−図３と共に図８−図１０を参照して、光学ベース５０に対する第１のレーザダイオード１１の取り付けの他例について説明する。
【００４７】
この例においては、第１のレーザダイオード１１を光学ベース５０に取り付けるのにＬＤ取付け装置８０を使用する。ＬＤ取付け装置８０は、光学ベース５０の側面において第１のダイオード用穴５１の周囲にビスなどにより固定された固定部材８１と、第１のレーザダイオード１１を保持しかつ固定部材８１に支持された可動部材８２とを含んでいる。固定部材８１は第１のダイオード用穴５１に対応した貫通孔８３を有している。固定部材８１には、貫通孔８３の両側に対の軸受部８４がそれぞれ形成されている。これらの軸受部８４を結ぶ線分即ち軸心は、光学ベース５０に対し４５度の傾きをもって交差する方向にのびている。
【００４８】
可動部材８２は、貫通孔８３に対向しかつ第１のレーザダイオード１１を配置する空所８６を規定するリング部８７と、リング部８７の外周面の対向位置に一体に結合された対の軸部８８と、リング部８７の外周面の軸部８８から周方向に位置ズレした部分から外方に突出した突片８９とを有している。対の軸部８８は固定部材８１の対の軸受部８４にそれぞれ軸受けされる。したがって、可動部材８２は、光学ベース５０に対し４５度の傾きをもつ軸心に関して傾動可能である。
【００４９】
ＬＤ取付け装置８０は、さらに、可動部材８２の傾きを調整する傾き調整機構９０を有している。傾き調整機構９０は、板バネ等からなるバネ部品９１と、小ネジなどのネジ部品９２とを含んでいる。ネジ部品９２は、突片８９に形成した貫通孔９３及びバネ部品９１に形成した貫通孔９４に挿通され、かつ固定部材８１に形成したネジ穴９５に螺着される。その際、ネジ部品９２の頭部９２ａは突片８９に係合する。バネ部品９１は固定部材８１と可動部材８２の突片８９との間に配置され、可動部材８２を固定部材８１から離間させる向きに付勢する。この構造によると、ネジ部品９２を回動操作することにより可動部材８２の傾きを調整することが容易に可能である。なお、バネ部品９１としては、互いに対向した二つのリング板の一部を相互に結合させた構造のものを例示しているが、様々な変形が可能である。
【００５０】
上述したＬＤ取付け装置８０において、第１のレーザダイオード１１はリング部８７の空所８６に挿入固定される。第１のレーザダイオード１１を空所８６に挿入する際、キー９６とキー溝９７とのスライド嵌合により、第１のレーザダイオード１１の光軸周りの回動角が決められる。可動部材８２は軸部８８を支点として上述の軸心に関して傾動可能であるので、ネジ部品９２を操作して可動部材８２の傾きを変更することによって図３に示す第１のレーザダイオード１１の光軸１１ａの向きを調整可能である。
【００５１】
上述した例では可動部材６２の傾動の軸心は光学ベース５０に対し４５度の角度をもってのびているが、光学ベース５０と平行にのびた形態で実施されてもよい。
【００５２】
なお、記録密度の異なる２種類の光ディスクとしては、例えばＤＶＤとＢｌｕｅ−ｒａｙ、ＣＤとＢｌｕｅ−ｒａｙ等の組み合わせであってもよい。光学的記録媒体（光ディスク）は垂直（鉛直）に置かれても良いのは勿論である。また、上述では２波長対応光ピックアップについて説明したが、１波長対応光ピックアップにおいても同様に実施できることは言うまでもない。
【００５３】
【発明の効果】
以上の説明から明らかなように、本発明によれば、発光装置を光学ベースに取り付ける際及び取付けの後にレーザビームの向きを容易に調整できる光ピックアップを提供することができる。
【図面の簡単な説明】
【図１】本発明の実施の形態に係る光ピックアップとしての２波長対応光ピックアップの光学系のシステム構成図である。
【図２】図１の２波長対応光ピックアップに使用される光学ベースの斜視図である。
【図３】図２の光学ベースの平面図である。
【図４】図１の２波長対応光ピックアップの具体例の斜視図である。
【図５】図４の２波長対応光ピックアップの側面図である。
【図６】図４及び図５の２波長対応光ピックアップのＬＤ取付け装置をレーザダイオードと共に示した拡大斜視図である。
【図７】図４及び図５の２波長対応光ピックアップのＬＤ取付け装置をレーザダイオードと共に示した分解斜視図である。
【図８】ＬＤ取付け装置の他例をレーザダイオードと共に示した正面図である。
【図９】図８のＬＤ取付け装置をレーザダイオードと共に示した斜視図である。
【図１０】図８および図９のＬＤ取付け装置をレーザダイオードと共に示した分解斜視図である。
【符号の説明】
１１  第１のレーザダイオード
１１ａ  光軸
１２  第２のレーザダイオード
１２ａ  光軸
１６  第１の回折格子
１７  第２の回折格子
１９  カップリングレンズ
２１  第１の波長選択偏光ビームスプリッタ
２２  第２の波長選択偏光ビームスプリッタ
２４  広帯域１／４波長板
２６  全反射ミラー
２８  コリメータレンズ
３０  対物レンズ
３２  検出レンズ
３４  受光素子
３６  主光路
４０  光ディスク（ＤＶＤ）
４０Ａ  光ディスク（ＣＤ）
４９  ガイド孔
５０  光学ベース
５１  第１のダイオード用穴
５２  第２のダイオード用穴
６０  ＬＤ取付け装置
６１  固定部材
６２  可動部材
６３  貫通孔
６４  軸受け穴
６５  軸受け面
６６  空所
６７  リング部
６８，６９  軸部
７１  バネ部品
７２  係合部
７３  バネ部
７４  キー
７５  キー溝
８０  ＬＤ取付け装置
８１  固定部材
８２  可動部材
８３  貫通孔
８４  軸受部
８６  空所
８７  リング部
８８  軸部
８９  突片
９０  傾き調整機構
９１  バネ部品
９２  ネジ部品
９２ａ  頭部
９３  貫通孔
９４  貫通孔
９５  ネジ穴
９６  キー
９７  キー溝
【図１】
2004342232.tif 000003
【図２】
2004342232.tif 000004
【図３】
2004342232.tif 000005
【図４】
2004342232.tif 000006
【図５】
2004342232.tif 000007
【図６】
2004342232.tif 000008
【図７】
2004342232.tif 000009
【図８】
2004342232.tif 000010
【図９】
2004342232.tif 000011
【図１０】
2004342232.tif 000012